(57)【要約】  本開示は、ページング方法、基地局および端末を提供する。前記ページング方法は、インアクティブ状態の端末が、アクセスネットワークから引き起こされるアクセスネットワークページングまたはコアネットワークから引き起こされるコアネットワークページングを含むページングタイプの特定が可能なページングメッセージを基地局から受信するステップと、前記端末が、前記ページングメッセージに対応するページングタイプを特定するステップと、前記ページングメッセージに対応するページングタイプがコアネットワークページングである場合、前記端末が、自端末の非アクセスＮＡＳ層と無線リソース制御ＲＲＣ層の状態をアイドル状態に更新して前記ページングメッセージに応答するステップとを含む。【選択図】  図３
2019537357.tif 000002
【特許請求の範囲】
【請求項１】
インアクティブ状態の端末が、アクセスネットワークから引き起こされるアクセスネットワークページングまたはコアネットワークから引き起こされるコアネットワークページングを含むページングタイプの特定が可能なページングメッセージを基地局から受信するステップと、
前記端末が、前記ページングメッセージに対応するページングタイプを特定するステップと、
前記ページングメッセージに対応するページングタイプがコアネットワークページングである場合、前記端末が、自端末の非アクセスＮＡＳ層と無線リソース制御ＲＲＣ層の状態をアイドル状態に更新して前記ページングメッセージに応答するステップとを含むページング方法。
【請求項２】
前記端末が、自端末の非アクセスＮＡＳ層と無線リソース制御ＲＲＣ層の状態をアイドル状態に更新して前記ページングメッセージに応答するステップは、
前記端末のＲＲＣ層において、ＲＲＣ層状態をアイドル状態に更新し、前記端末の接続を解除するようにＮＡＳ層に通知し、端末のＮＡＳ層において、ＮＡＳ層状態をアイドル状態に更新することと、
前記端末のＲＲＣ層において、前記ページングメッセージのページング内容をＮＡＳ層に渡し、前記ＮＡＳ層において、前記ページング内容を受信して応答することとを含む請求項１に記載の方法。
【請求項３】
前記端末が、自端末の非アクセスＮＡＳ層と無線リソース制御ＲＲＣ層の状態をアイドル状態に更新して前記ページングメッセージに応答するステップは、
前記端末のＲＲＣ層において、前記ページングメッセージのページング内容をＮＡＳ層に渡し、ＲＲＣ層状態をアイドル状態に更新することと、
前記端末のＮＡＳ層において、前記ページング内容を受信してからＮＡＳ層状態をアイドル状態に更新し、前記ページング内容に応答することとを含む請求項１に記載の方法。
【請求項４】
前記ページングメッセージに対応するページングタイプがアクセスネットワークページングである場合、前記端末が、直接前記ページングメッセージに応答し、接続の復帰、確立または再確立プロセスを引き起こすステップをさらに含む請求項１に記載の方法。
【請求項５】
前記ページングメッセージに前記ページングタイプの指示情報が付帯され、
前記端末が、前記ページングメッセージに対応するページングタイプを特定するステップは、
前記端末が、前記指示情報に基づいて、前記ページングメッセージに対応するページングタイプを特定することを含む請求項１に記載の方法。
【請求項６】
予め特定された表現方式で示される所定パラメータが前記ページングメッセージに付帯され、かつ前記所定パラメータの異なる表現方式は、異なるページングタイプに対応し、
前記端末が、前記ページングメッセージに対応するページングタイプを特定するステップは、
前記端末が、前記ページングメッセージのうちの所定パラメータの表現方式に対応するページングタイプを特定して前記ページングメッセージのページングタイプを得ることを含む請求項１に記載の方法。
【請求項７】
前記ページングメッセージに第１所定パラメータが付帯され、または、付帯されず、ここで、前記ページングメッセージに第１所定パラメータが付帯されるかは、前記ページングタイプによって特定され、
前記端末が、前記ページングメッセージに対応するページングタイプを特定するステップは、
前記端末が、前記ページングメッセージに前記第１所定パラメータが付帯されるかに応じて、前記ページングメッセージのページングタイプを特定することを含む請求項１に記載の方法。
【請求項８】
基地局が、端末に対しページングを引き起こす必要がある場合、アクセスネットワークから引き起こされるアクセスネットワークページングまたはコアネットワークから引き起こされるコアネットワークページングを含む当該ページングのページングタイプを特定するステップと、
基地局が、ページングタイプの特定が可能なページングメッセージを前記端末に送信するステップとを含むページング方法。
【請求項９】
前記ページングメッセージに前記ページングタイプの指示情報が付帯され、
または、予め特定された表現方式で示される所定パラメータが前記ページングメッセージに付帯され、かつ前記所定パラメータの異なる表現方式は、異なるページングタイプに対応し、
または、前記ページングメッセージに第１所定パラメータが付帯され、または、付帯されず、ここで、前記ページングメッセージに第１所定パラメータが付帯されるかは、前記ページングタイプによって特定される請求項８に記載の方法。
【請求項１０】
端末であって、
自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信することに用いられる受信ユニットと、
前記ページングメッセージに対応するページングタイプを特定することに用いられる特定ユニットと、
前記ページングタイプがコアネットワークページングである場合、自端末の非アクセスＮＡＳ層と無線リソース制御ＲＲＣ層の状態をアイドル状態に更新して前記ページングメッセージに応答することに用いられる第１応答ユニットとを含む端末。
【請求項１１】
前記第１応答ユニットは、
前記端末のＲＲＣ層状態をアイドル状態に更新し、前記端末の接続を解除するように前記端末のＮＡＳ層に通知し、前記ページングメッセージのページング内容をＮＡＳ層に渡すことに用いられるＲＲＣ層の第１処理ユニットと、
前記第１応答ユニットの通知に基づいてＮＡＳ層状態をアイドル状態に更新し、第１処理ユニットから渡されるページング内容を受信して応答することに用いられるＮＡＳ層の第２処理ユニットとを含む請求項１０に記載の端末。
【請求項１２】
前記第１応答ユニットは、
前記ページングメッセージのページング内容をＮＡＳ層に渡し、ＲＲＣ層状態をアイドル状態に更新することに用いられるＲＲＣ層の第３処理ユニットと、
前記第３処理ユニットから渡される前記ページング内容を受信してからＮＡＳ層状態をアイドル状態に更新し、前記ページング内容に応答することに用いられるＮＡＳ層の第４処理ユニットとを含む請求項１０に記載の端末。
【請求項１３】
前記ページングタイプがアクセスネットワークページングである場合、直接前記ページングメッセージに応答し、接続の復帰、確立または再確立プロセスを引き起こすことに用いられる第２応答ユニットをさらに含む請求項１０に記載の端末。
【請求項１４】
前記ページングメッセージに前記ページングタイプの指示情報が付帯され、
前記特定ユニットは、具体的に、
前記指示情報に基づいて、前記ページングメッセージに対応するページングタイプを特定することに用いられる請求項１０に記載の端末。
【請求項１５】
予め特定された表現方式で示される所定パラメータが前記ページングメッセージに付帯され、かつ前記所定パラメータの異なる表現方式は、異なるページングタイプに対応し、
前記特定ユニットは、具体的に、
前記ページングメッセージのうちの所定パラメータの表現方式に対応するページングタイプを特定して前記ページングメッセージのページングタイプを得ることに用いられる請求項１０に記載の端末。
【請求項１６】
前記ページングメッセージに第１所定パラメータが付帯され、または、付帯されず、ここで、前記ページングメッセージに第１所定パラメータが付帯されるかは、前記ページングタイプによって特定され、
前記特定ユニットは、具体的に、
前記ページングメッセージに前記第１所定パラメータが付帯されるかに応じて、前記ページングメッセージのページングタイプを特定することに用いられる請求項１０に記載の端末。
【請求項１７】
端末に対しページングを引き起こす必要がある場合、アクセスネットワークから引き起こされるアクセスネットワークページングまたはコアネットワークから引き起こされるコアネットワークページングを含む当該ページングのページングタイプを特定することに用いられる特定ユニットと、
ページングタイプの特定が可能なページングメッセージを前記端末に送信することに用いられる送信ユニットとを含む基地局。
【請求項１８】
前記ページングメッセージに前記ページングタイプの指示情報が付帯され、
または、予め特定された表現方式で示される所定パラメータが前記ページングメッセージに付帯され、かつ前記所定パラメータの異なる表現方式は、異なるページングタイプに対応し、
または、前記ページングメッセージに第１所定パラメータが付帯され、または、付帯されず、ここで、前記ページングメッセージに第１所定パラメータが付帯されるかは、前記ページングタイプによって特定される請求項１７に記載の基地局。
【請求項１９】
プロセッサと、データを送受信することに用いられるトランシーバと、前記プロセッサによる操作実行に用いられるデータを保存することに用いられるメモリとを含む端末において、
前記プロセッサは、前記メモリからプログラムを読み取ることによって、
自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信するプロセスと、
前記ページングメッセージに対応するページングタイプを特定するプロセスと、
前記ページングタイプがコアネットワークページングである場合、前記端末が、自端末の非アクセスＮＡＳ層と無線リソース制御ＲＲＣ層の状態をアイドル状態に更新して前記ページングメッセージに応答するプロセスとを実行することに用いられる端末。
【請求項２０】
プロセッサと、データを送受信することに用いられるトランシーバと、前記プロセッサによる操作実行に用いられるデータを保存することに用いられるメモリとを含む基地局において、
前記プロセッサは、前記メモリからプログラムを読み取ることによって、
端末に対しページングを引き起こす必要がある場合、アクセスネットワークから引き起こされるアクセスネットワークページングまたはコアネットワークから引き起こされるコアネットワークページングを含む当該ページングのページングタイプを特定するプロセスと、
ページングタイプの特定が可能なページングメッセージを前記端末に送信するプロセスとを実行することに用いられる基地局。
【発明の詳細な説明】
【技術分野】
【０００１】
本願は、２０１６年１１月３日に中国特許庁に提出された中国特許出願２０１６１０９５５２０１．６の優先権を主張し、その全ての内容が援用によりここに取り込まれる。
本開示は、無線通信技術分野に係り、特にページング方法、基地局および端末に係る。
【背景技術】
【０００２】
ＬＴＥシステムでは、無線リソース制御アイドル状態（ＲＲＣ＿ＩＤＬＥ）、無線リソース制御接続状態（ＲＲＣ＿ＣＯＮＮＥＣＴＥＤ）、ライト接続（ｌｉｇｈｔ  ｃｏｎｎｅｃｔｉｏｎ）など、複数の端末状態が定義されている。無線通信システムの発展に伴い、端末のタイプおよびサービスのタイプが多様化し、端末での節電、ネットワークリソースの節約、様々なサービスタイプに対応できるなどのリクエストが同時に存在する。以下、各状態における端末の行動を紹介する。
【０００３】
１．ＲＲＣ＿ＩＤＬＥにおけるＵＥの行動
−ＰＬＭＮの選択
−ＮＡＳにおいてＤＲＸを設定する
−システム情報の放送
−ページング
−Ｃｅｌｌ再選択方式の移動性
−一定のトラッキングエリアで一義的なＩＤがＵＥに割り当てられる
−ｅＮＢではＵＥ  ｃｏｎｔｅｘｔ（ＵＥコンテキスト情報）が格納されない
−ｓｉｄｅｌｉｎｋ通信の送受信が可能である（Ｄ２Ｄ通信）
−Ｓｉｄｅｌｉｎｋ発見の通知およびモニタリング（Ｄ２Ｄ発見）
【０００４】
２．ＲＲＣ＿ＣＯＮＮＥＣＴＥＤにおけるＵＥの行動
−ＵＥにＥ−ＵＴＲＡＮ−ＲＲＣ接続がある
−Ｅ−ＵＴＲＡＮ側にＵＥのコンテキスト情報を有する
−Ｅ−ＵＴＲＡＮはＵＥの所属セルが分かり、セル内のＵＥ  ＩＤのＣ−ＲＮＴＩを割り当てる
−ＮｅｔｗｏｒｋとＵＥとはＣ−ＲＮＴＩでデータを送受信する
−Ｎｅｔｗｏｒｋ制御の移動性
−隣接セルの測定
−ｓｉｄｅｌｉｎｋ通信の送受信が可能である（Ｄ２Ｄ通信）
−Ｓｉｄｅｌｉｎｋ発見の通知およびモニタリング（Ｄ２Ｄ発見）
−ＰＤＣＰ／ＲＬＣ／ＭＡＣ層：
−ＵＥとネットワークとはデータを送受信する
−ＵＥは、共有データチャネルに関する制御シグナリングチャネルをモニタリングして、当該ＵＥに割り当てられる共有データチャネルの伝送があるかをチェックする。
−ＵＥは、チャネル品質情報およびフィードバック情報をｅＮＢに報知する。
−間欠受信（ＤＲＸ）周期は、ＮＢによって制御され、ＵＥの省エネおよびリソース利用率の活躍度合いに応じて設定される。
【０００５】
ＬＴＥシステムでサポートされる状態移行は、ＲＲＣ＿ＩＤＬＥからＲＲＣ＿ＣＯＮＮＥＣＴＥＤ状態への移行を含み、端末によるアクセスまたは再確立プロセスが必要である。ＲＲＣ＿ＣＯＮＮＥＣＴＥＤ状態から、リリースプロセスによって、ＲＲＣ＿ＩＤＬＥ状態へ移行できる。
【０００６】
端末の節電および快速のデータ伝送を同時に保証するために、インアクティブ状態または非活性化接続状態とも称されるＩｎａｃｔｉｖｅ状態が導入されている。このような状態において、端末（ＵＥ）は、コアネットワークとの接続が保持されるが、エアインタフェース接続状態の通常操作（たとえば切り替え、アップリンクタイミングの更新、無線リンクのモニタリングなど）を行わず、直接エアインタフェース伝送に用いられる端末ＩＤ（たとえばＣ−ＲＮＴＩ）を割り当てないため、直接エアインタフェーススケジューリング伝送を行うことができない。Ｉｎａｃｔｉｖｅ状態において、端末は、ページングメッセージをモニタリングしてネットワーク側からのコールを受信する。Ｉｎａｃｔｉｖｅ状態において以下の特徴を有する。
−コアネットワークから見て、当該端末は、接続状態にある。
−移動性は、端末によって実行され、ネットワーク側によって予め設定された無線アクセスネットワーク（ＲＡＮ）トラッキングエリアで、切り替えプロセスではなく、セル再選択によって実行される。
−ネットワーク側によって予め設定されたＲＡＮトラッキングエリア内の一義的なユーザＩＤは、端末に割り当てられる。
【０００７】
Ｉｎａｃｔｉｖｅ状態において、一定のエリアで有効なＲＡＮ  ＩＤは、ネットワーク側から端末に割り当てられる。当該ＩＤは、Ｉｎａｃｔｉｖｅ状態で端末を識別することに用いられ、ネットワーク側から端末を検索しまたは端末から積極的にアップリンクアクセスを引き起こす際に、接続状態に移行するための身分として識別され、Ｉｎａｃｔｉｖｅ  ＵＥ  ＩＤやｒｅｓｕｍｅ  ＵＥ  ＩＤと称される。当該ＩＤは、ＩＭＳＩやＣ−ＲＮＴＩとは異なり、長さが両者の間にあり（たとえばＩｎａｃｔｉｖｅ  ＵＥ  ＩＤの長さが４０ｂｉｔであり、Ｃ−ＲＮＴＩの長さが１６ｂｉｔである。）、複数のセルまたは複数の基地局（ｅＮＢ）を含む一定のエリア内のみで有効であり、当該エリアを超えると、端末のＩｎａｃｔｉｖｅ  ＵＥ  ＩＤの更新が必要となる。
【０００８】
端末は、Ｉｎａｃｔｉｖｅ状態において、基地局とは接続されないものの、ページングの受信が可能であり、サービスを引き起こすことができ、当該状態に移行すると、端末の電気使用量の節約効果を奏する。端末は、Ｉｎａｃｔｉｖｅ状態において、Ｉｎａｃｔｉｖｅ状態のページング周期でページングをモニタリングする。一方、端末は、ＲＲＣ＿ＩＤＬＥ状態において、ＲＲＣ＿ＩＤＬＥ状態のページング周期でページングをモニタリングする。端末は、Ｉｎａｃｔｉｖｅ状態でのページング周期が基地局から設定され、ＲＲＣ＿ＩＤＬＥ状態でのページング周期がコアネットワークから設定される。両者の間の関係は、特定されていない。
【０００９】
ネットワーク側（基地局とコアネットワークを含む）が自身の原因でＩｎａｃｔｉｖｅ端末のコンテキストをリリースしたにもかかわらず端末に通知せず、または、エアインタフェースで端末への通知メッセージが紛失すると、端末とネットワーク側とは状態に対する認識が一致せず、ネットワーク側は、端末についてＩＤＬＥ状態である（アクセス層ＡＳと非アクセスＮＡＳ層がともにＩＤＬＥである）と認識するが、端末のＡＳは、自身がＩｎａｃｔｉｖｅ状態であると認識し、端末のＮＡＳは、自身がＣＯＮＮＥＣＴＥＤ状態であると認識する。Ｉｎａｃｔｉｖｅ状態とＩＤＬＥ状態でのページング周期が異なるため、この場合にネットワーク側からコアネットワークページングを引き起こすと、端末は、当該ページングを受信することができない。
【００１０】
これによると、端末がインアクティブ状態（Ｉｎａｃｔｉｖｅ）である場合、ネットワークと端末では端末の状態に対する認識が一致しない可能性があるため、Ｉｎａｃｔｉｖｅ状態での端末のページングに問題が生じうることが分かる。
【発明の概要】
【００１１】
本開示の実施例によって解決しようとする技術課題は、端末がインアクティブ状態である場合に、ネットワークと端末との間で端末の状態に対する認識の不一致によるページング問題を避けるためのページング方法、基地局および端末を提供することである。
【００１２】
上記技術課題を解決するために、本開示の実施例は、インアクティブ状態の端末が、アクセスネットワークから引き起こされるアクセスネットワークページングまたはコアネットワークから引き起こされるコアネットワークページングを含むページングタイプの特定が可能なページングメッセージを基地局から受信するステップと、前記端末が、前記ページングメッセージに対応するページングタイプを特定するステップと、前記ページングメッセージに対応するページングタイプがコアネットワークページングである場合、前記端末が、自端末の非アクセスＮＡＳ層と無線リソース制御ＲＲＣ層の状態をアイドル状態に更新して前記ページングメッセージに応答するステップとを含むページング方法を提供する。
【００１３】
本開示の実施例は、さらに、基地局が、端末に対しページングを引き起こす必要がある場合、アクセスネットワークから引き起こされるアクセスネットワークページングまたはコアネットワークから引き起こされるコアネットワークページングを含む当該ページングのページングタイプを特定するステップと、基地局が、ページングタイプの特定が可能なページングメッセージを前記端末に送信するステップとを含むページング方法を提供する。
【００１４】
本開示の実施例は、さらに、自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信することに用いられる受信ユニットと、前記ページングメッセージに対応するページングタイプを特定することに用いられる特定ユニットと、前記ページングタイプがコアネットワークページングである場合、自端末の非アクセスＮＡＳ層と無線リソース制御ＲＲＣ層の状態をアイドル状態に更新して前記ページングメッセージに応答することに用いられる第１応答ユニットとを含む端末を提供する。
【００１５】
本開示の実施例は、さらに、端末に対しページングを引き起こす必要がある場合、アクセスネットワークから引き起こされるアクセスネットワークページングまたはコアネットワークから引き起こされるコアネットワークページングを含む当該ページングのページングタイプを特定することに用いられる特定ユニットと、ページングタイプの特定が可能なページングメッセージを前記端末に送信することに用いられる送信ユニットとを含む基地局を提供する。
【００１６】
本開示の実施例は、さらに、プロセッサと、データを送受信することに用いられるトランシーバと、前記プロセッサによる操作実行に用いられるデータを保存することに用いられるメモリとを含む端末を提供する。前記プロセッサは、前記メモリからプログラムを読み取ることによって、自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信するプロセスと、前記ページングメッセージに対応するページングタイプを特定するプロセスと、前記ページングタイプがコアネットワークページングである場合、前記端末が、自端末の非アクセスＮＡＳ層と無線リソース制御ＲＲＣ層の状態をアイドル状態に更新して前記ページングメッセージに応答するプロセスとを実行することに用いられる。
【００１７】
本開示の実施例は、さらに、プロセッサと、データを送受信することに用いられるトランシーバと、前記プロセッサによる操作実行に用いられるデータを保存することに用いられるメモリとを含む基地局を提供する。前記プロセッサは、前記メモリからプログラムを読み取ることによって、端末に対しページングを引き起こす必要がある場合、アクセスネットワークから引き起こされるアクセスネットワークページングまたはコアネットワークから引き起こされるコアネットワークページングを含む当該ページングのページングタイプを特定するプロセスと、ページングタイプの特定が可能なページングメッセージを前記端末に送信するプロセスとを実行することに用いられる。
【発明の効果】
【００１８】
関連技術に比較し、本開示の実施例におけるページング方法、基地局および端末は、インアクティブ状態の端末のページング中に、ネットワークと端末との間で端末の状態に対する認識が一致しない場合に端末のページングが失敗する問題を解決することができ、端末がページングを正しく受信することができ、ページング成功率が向上する
【図面の簡単な説明】
【００１９】
【図１】図１は、本開示の一部実施例における無線システムエリア管理方法の１つの応用シーンである。
【図２】図２は、本開示の一部実施例における無線システムエリア管理方法のもう１つの応用シーンである。
【図３】図３は、本開示の一部実施例におけるページング方法のフローチャートである。
【図４】図４は、本開示の一部実施例における別のページング方法のフローチャートである。
【図５】図５は、本開示の一部実施例における端末の構造図である。
【図６】図６は、本開示の一部実施例における端末の別の構造図である。
【図７】図７は、本開示の一部実施例における基地局の構造図である。
【図８】図８は、本開示の一部実施例における基地局の別の構造図である。
【発明を実施するための形態】
【００２０】
本開示の解決しようとする技術課題、技術手段および利点をより明確にするために、以下、添付図面および具体的な実施例に関連して詳細に記載する。以下の記載では、具体的な構成や部品の特定な細部は、単に本開示の実施例を全面的に理解するための手助けとして提供される。したがって、当業者は、ここで記載した実施例に対し、本開示の範囲や趣旨から逸脱せずに様々な変更や修正を行うことができる。また、明確化および簡潔化のために、すでに知られている機能と構造の記載を省略した。
【００２１】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００２２】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００２３】
また、本文において、「システム」と「ネットワーク」は、常に互換して使用することができる。
【００２４】
なお、本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【００２５】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００２６】
本開示の一部実施例において、端末は、モバイル電話（または携帯電話）や、無線信号の送受信が可能な機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００２７】
本開示の一部実施例において、上記基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ｅＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。また、５Ｇ技術の発展と伴い、基地局は、たとえば中央ユニット（ＣＵ：Ｃｅｎｔｒａｌ  Ｕｎｉｔ）、分布式ユニット（ＤＵ：Ｄｉｓｔｒｉｂｕｔｅｄ  Ｕｎｉｔ）など、ほかの機能ノードに置換可能である。本開示の実施例は、上記シーンに応用することができる。以下、ＬＴＥネットワーキングおよび５ＧのありうるネットワーキングシーンでのＲＡＮ側アーキテクチャを簡単に紹介する。
【００２８】
ＬＴＥネットワーキングのシーン：基地局＋端末
図１は、典型的なＬＴＥアーキテクチャである。基地局（ｅＮＢ）の配下に複数のセル（ｃｅｌｌ）を有する。接続状態の端末（ＵＥ）は、セルとの間にエアインタフェースのデータ送受信が行われ、セル内で一義的なＵＥ  ＩＤ（Ｃ−ＲＮＴＩ）が割り当てられる。基地局の間は、Ｘ２インタフェースで通信する。基地局とコアネットワークとは、Ｓ１インタフェースで通信する。
【００２９】
５Ｇネットワーキングのシーン：ネットワーク側ノードは、中央ユニット（ＣＵ：Ｃｅｎｔｒａｌ  Ｕｎｉｔ）と分布式ユニット（ＤＵ：Ｄｉｓｔｒｉｂｕｔｅｄ  Ｕｎｉｔ）に分けられ、ユーザ側ノードは、端末（ＵＥ）である。
図２は、将来の移動通信５Ｇに用いられうるアーキテクチャである。ネットワーク側ノードは、中央ユニットと分布式ユニットを含む。１つの中央ユニットは、一定のエリアで構成された複数の分布式ユニットを制御する。これらの分布式ユニットは、伝送ポイント（ＴＲＰ：Ｔｒａｎｓｍｉｓｓｉｏｎ  Ｒｅｃｅｐｔｉｏｎ  Ｐｏｉｎｔ）と称されてもよい。ＴＲＰは、端末とはエアインタフェース伝送が行われる。１つまたは複数の伝送ポイントは、同時に端末にサービスを提供し、データ伝送を行う。ここで、データスケジューリングおよび伝送のために、ネットワーク側から端末に割り当てられる端末エアインタフェースの一義的なＩＤも必要であり、このＩＤは、Ｃ−ＲＮＴＩまたはＴＲＰ−ＲＮＴＩである。
【００３０】
本開示の実施例は、上記２種類のＲＡＮアーキテクチャに応用することができ、上記シーン以外のほかのシーンにも応用することができる。記載を統一させるために、本文では、図１のｅＮＢおよび図２のＣＵ／ＤＵ（具体的に送受信ポイントがＴＲＰである）を含むネットワーク側の無線シグナリングおよびデータの送受信ノードを、統一して基地局と称する。また、本文では、端末の接続状態での伝送に用いられる端末の一義的なＩＤを、端末エアインタフェース伝送の一義的なＩＤと称する。当該ＩＤは、伝統的なＬＴＥではＣ−ＲＮＴＩ（Ｃ−Ｒａｄｉｏ  Ｎｅｔｗｏｒｋ  Ｔｅｍｐｏｒａｔｙ  Ｉｄｅｎｔｉｔｙ）である。Ｉｎａｃｔｉｖｅ状態の端末は、エリア内の一義的なＩＤがＩｎａｃｔｉｖｅ  ＵＥ  ＩＤと称される。
【００３１】
図３を参照する。本開示の一部実施例におけるページング方法は、端末側に応用され、以下のステップ３１〜３３を含む。
【００３２】
ステップ３１において、インアクティブ状態の端末は、アクセスネットワークから引き起こされるアクセスネットワークページングまたはコアネットワークから引き起こされるコアネットワークページングを含むページングタイプの特定が可能なページングメッセージを基地局から受信する。
【００３３】
ここで、コアネットワークページングは、通常、コアネットワークからアクティブ状態（たとえばＲＲＣ＿ＣＯＮＮＥＣＴＥＤ）の端末に対し引き起こしたページングであり、アクセスネットワークページングは、通常、基地局からインアクティブ状態の端末に対し引き起こしたページングである。もちろん、コアネットワークページングでも、基地局によって端末に転送される。本開示の実施例において、基地局から送信されるページングメッセージは、当該ページングメッセージに対応するページングタイプの特定に用いられる。具体的に、基地局は、ページングメッセージによってページングタイプを明示的または暗示的に指示する。
【００３４】
ステップ３２において、前記端末は、前記ページングメッセージに対応するページングタイプを特定する。
【００３５】
ステップ３３において、前記ページングメッセージに対応するページングタイプがコアネットワークページングである場合、前記端末は、自端末の非アクセスＮＡＳ層と無線リソース制御ＲＲＣ層の状態をアイドル状態に更新して前記ページングメッセージに応答する。
【００３６】
以上のステップによれば、本開示の一部実施例において、Ｉｎａｃｔｉｖｅ状態の端末がコアネットワークページングを受信すると、自身のＮＡＳ層とＲＲＣ層をすべてアイドル状態に更新することによって、アイドル状態で定義された端末の行動でページングメッセージに応答することができ、ネットワークと端末との間で端末の状態に対する認識の不一致によるページング問題が避けられる。
【００３７】
本開示の一部実施例において、上記ステップ３２において、前記ページングメッセージに対応するページングタイプがアクセスネットワークページングであると特定した場合、前記端末は、直接前記ページングメッセージに応答し、接続の復帰、確立または再確立プロセスを引き起こす。たとえば、前記端末は、直接ＲＲＣ層において前記ページングメッセージに応答し、接続の復帰、確立または再確立プロセスを引き起こす。その後のページング応答プロセスは、関連技術を参照されたく、ここでは繰り返して記載しない。
【００３８】
本開示の一部実施例において、基地局は、ページングタイプを明示的または暗示的に指示する。以下、本開示の一部実施例に用いられる指示方式を例示して説明する。もちろん、本開示の一部実施例において、以下の方式以外の、ページングタイプを端末に指示可能なあらゆる方式を用いてもよい。
【００３９】
１）明示的指示
基地局は、前記ページングタイプの指示情報を前記ページングメッセージに付帯させる。この場合、ステップ３２において、前記端末は、前記指示情報に基づいて、前記ページングメッセージに対応するページングタイプを特定することができる。
たとえば、特定の１ｂｉｔの指示ビットの値で指示し、０である場合、アクセスネットワークページングを示し、１である場合、コアネットワークページングを示す。端末は、当該指示ビットの値を読み取ることによって、ページングタイプの特定ができる。
【００４０】
２）暗示的指示
２．１）基地局は、予め特定された表現方式で示される所定パラメータを前記ページングメッセージに付帯させ、かつ前記所定パラメータの異なる表現方式は、異なるページングタイプに対応する。この場合、ステップ３２において、前記端末は、前記ページングメッセージのうちの所定パラメータの表現方式に対応するページングタイプを特定して前記ページングメッセージのページングタイプを得ることができる。
たとえば、アクセスネットワークページングとコアネットワークページングには、それぞれ、端末の異なるページングＩＤが使用される。アクセスネットワークページングには、ｉｎａｃｔｉｖｅ  ＵＥ  ＩＤまたはｒｅｓｕｍｅ  ＩＤが使用されるが、コアネットワークページングには、Ｓ−ＴＭＳＩ（Ｓ−Ｔｅｍｐｏｒａｒｙ  Ｍｏｂｉｌｅ  Ｓｔａｔｉｏｎ  Ｉｄｅｎｔｉｔｙ）またはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）が使用される。端末は、ページングメッセージのうちの端末ページングＩＤの表現方式に基づいて、ページングタイプの特定ができる。
２．２）基地局は、前記ページングメッセージに第１所定パラメータを付帯させ、または、付帯させない。ここで、前記ページングメッセージに第１所定パラメータを付帯させるかは、前記ページングタイプによって特定される。この場合、ステップ３２において、端末は、前記ページングメッセージに前記第１所定パラメータが付帯されるかに応じて、前記ページングメッセージのページングタイプを特定することができる。
たとえば、ＣＮ−Ｄｏｍａｉｎパラメータをコアネットワークページングに付帯させ、当該ページングがＰＳドメインのページングであるか、ＣＳドメインのページングであるかを識別する。一方、アクセスネットワークページングには当該パラメータが付帯されない。端末は、ページングメッセージを受信すると、ページングメッセージに当該コアネットワークドメインパラメータがあるかに応じて、ページングタイプがコアネットワークページングであるかアクセスネットワークページングであるかを特定する。
【００４１】
上記ステップ３３において、前記ページングメッセージがコアネットワークページングである場合、端末は、自身のＮＡＳ層とＲＲＣ層の状態をすべてアイドル状態に更新し、さらにアイドル状態で前記ページングメッセージに応答し、対応するページング応答行動を実行する。たとえば、端末は、以下の方式でＮＡＳ層とＲＲＣ層の状態を更新する。
【００４２】
方式１：
前記端末のＲＲＣ層において、ＲＲＣ層状態をアイドル状態に更新し、前記端末の接続を解除するようにＮＡＳ層に通知し、端末のＮＡＳ層において、前記通知に基づいて、ＮＡＳ層状態をアイドル状態に更新する。前記端末のＲＲＣ層において、前記ページングメッセージのページング内容をＮＡＳ層に渡し、前記ＮＡＳ層において、前記ページング内容を受信して応答する。
【００４３】
上記方式１において、ＲＲＣ層を主導とし、状態の更新をＮＡＳ層に通知し、ページングメッセージのページング内容をＮＡＳ層に渡すことによって、アイドル状態でページングメッセージの応答プロセスを行う。
【００４４】
方式２：
前記端末のＲＲＣ層において、前記ページングメッセージのページング内容をＮＡＳ層に渡し、ＲＲＣ層状態をアイドル状態に更新する。前記端末のＮＡＳ層において、前記ページング内容を受信してからＮＡＳ層状態をアイドル状態に更新し、前記ページング内容に応答する。
【００４５】
上記方式２において、ＮＡＳ層において、ＲＲＣ層から渡されたページング内容を受信してから、自身の状態をアイドル状態に更新することによって、アイドル状態でページングメッセージの応答プロセスを行うことができる。
【００４６】
以上の状態更新は、層において対応するステートマシンの状態を更新することによって実現される。ステートマシンの異なる状態では、端末は、対応する状態での行動を実行する。たとえば、ページングメッセージに応答する具体的な行動は、関連技術標準の関連定義を参照されたく、本文において繰り返して記載しない。
【００４７】
なお、以上の更新方式は、本開示の一部実施例に用いられる一部の実現方式に過ぎない。端末は、以上の方式以外のほかの方式で状態更新を行ってもよいが、ここでは枚挙して説明しない。
【００４８】
図４を参照する。本開示の一部実施例におけるページング方法は、基地局側に応用される場合、以下のステップ４１〜４２を含む。
【００４９】
ステップ４１において、基地局は、端末に対しページングを引き起こす必要がある場合、アクセスネットワークから引き起こされるアクセスネットワークページングまたはコアネットワークから引き起こされるコアネットワークページングを含む当該ページングのページングタイプを特定する。
【００５０】
ここで、基地局は、ページングが引き起こされる元に基づいて、ページングがコアネットワークページングであるかアクセスネットワークページングであるかを特定する。
【００５１】
ステップ４２において、基地局は、ページングタイプの特定が可能なページングメッセージを前記端末に送信する。
【００５２】
ここで、以上記載した明示的または暗示的な指示方式を参照して、ページングメッセージによって端末にページングタイプを指示する。
【００５３】
たとえば、明示的指示の場合、前記ページングメッセージに前記ページングタイプの指示情報が付帯される。この場合、上記ステップ４２において、前記基地局は、前記ページングタイプの指示情報が付帯されるページングメッセージを前記端末に送信する。
【００５４】
たとえば、暗示的指示の場合、予め特定された表現方式で示される所定パラメータが前記ページングメッセージに付帯され、かつ前記所定パラメータの異なる表現方式は、異なるページングタイプに対応する。この場合、上記ステップ４２において、前記基地局は、前記ページングタイプに基づいて、所定パラメータの表現方式を特定する。ここで、前記所定パラメータの異なる表現方式は、異なるページングタイプに対応する。それから、前記基地局は、特定された表現方式で示される所定パラメータが付帯される前記ページングメッセージを前記端末に送信する。
【００５５】
また、たとえば、暗示的指示の場合、前記ページングメッセージに第１所定パラメータが付帯され、または、付帯されない。ここで、前記ページングメッセージに第１所定パラメータが付帯されるかは、前記ページングタイプによって特定される。この場合、上記ステップ４２において、前記基地局は、前記ページングタイプに基づいて、前記ページングメッセージに第１所定パラメータが付帯されるかを特定する。それから、前記基地局は、第１所定パラメータが付帯された、または付帯されないページングメッセージを前記端末に送信する。
【００５６】
以上の記載によると、本開示の一部実施例において、基地局は、送信したページングメッセージでページングタイプを指示し、インアクティブ状態の端末は、ページングメッセージを受信すると、自身のＮＡＳ層とＲＲＣ層をすべてアイドル状態に更新してからページングメッセージに応答する。よって、ネットワーク側と端末側では、同一の端末状態に基づいて端末のページング行動を完成することが保証され、ネットワークと端末との間で端末の状態に対する認識の不一致によるページング問題が避けられる。
【００５７】
以下、上記方法を実現する基地局および端末をさらに提供する。
【００５８】
図５を参照する。本開示の一部実施例における端末は、自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信することに用いられる受信ユニット５１と、前記ページングメッセージに対応するページングタイプを特定することに用いられる特定ユニット５２と、前記ページングタイプがコアネットワークページングである場合、自端末の非アクセスＮＡＳ層と無線リソース制御ＲＲＣ層の状態をアイドル状態に更新して前記ページングメッセージに応答することに用いられる第１応答ユニット５３とを含む。
【００５９】
１つの実現方式として、前記第１応答ユニット５３は、前記端末のＲＲＣ層状態をアイドル状態に更新し、前記端末の接続を解除するように前記端末のＮＡＳ層に通知し、前記ページングメッセージのページング内容をＮＡＳ層に渡すことに用いられるＲＲＣ層の第１処理ユニットと、前記第１応答ユニットの通知に基づいてＮＡＳ層状態をアイドル状態に更新し、第１処理ユニットから渡されるページング内容を受信して応答することに用いられるＮＡＳ層の第２処理ユニットとを含む。
【００６０】
もう１つの実現方式として、前記第１応答ユニット５３は、前記ページングメッセージのページング内容をＮＡＳ層に渡し、ＲＲＣ層状態をアイドル状態に更新することに用いられるＲＲＣ層の第３処理ユニットと、前記第３処理ユニットから渡される前記ページング内容を受信してからＮＡＳ層状態をアイドル状態に更新し、前記ページング内容に応答することに用いられるＮＡＳ層の第４処理ユニットとを含む。
【００６１】
ここで、上記端末は、前記ページングタイプがアクセスネットワークページングである場合、直接前記ページングメッセージに応答し、接続の復帰、確立または再確立プロセスを引き起こすことに用いられる第２応答ユニットをさらに含む。
【００６２】
具体的に、前記第２応答ユニットは、ＲＲＣ層において前記ページングメッセージに応答し、接続の復帰、確立または再確立プロセスを引き起こすことに用いられるＲＲＣ層の第５処理ユニットを含む。
【００６３】
１つの実現方式として、前記ページングメッセージに前記ページングタイプの指示情報が付帯される。この場合、前記特定ユニット５２は、具体的に、前記指示情報に基づいて、前記ページングメッセージに対応するページングタイプを特定することに用いられる。
【００６４】
もう１つの実現方式として、予め特定された表現方式で示される所定パラメータが前記ページングメッセージに付帯され、かつ前記所定パラメータの異なる表現方式は、異なるページングタイプに対応する。この場合、前記特定ユニット５２は、具体的に、前記ページングメッセージのうちの所定パラメータの表現方式に対応するページングタイプを特定して前記ページングメッセージのページングタイプを得ることに用いられる。
【００６５】
もう１つの実現方式として、前記ページングメッセージに第１所定パラメータが付帯され、または、付帯されない。ここで、前記ページングメッセージに第１所定パラメータが付帯されるかは、前記ページングタイプによって特定される。この場合、前記特定ユニット５２は、具体的に、前記ページングメッセージに前記第１所定パラメータが付帯されるかに応じて、前記ページングメッセージのページングタイプを特定することに用いられる。
【００６６】
図６を参照する。本開示の一部実施例における別構造の端末は、第１トランシーバ６０１と、第１プロセッサ６０４を含む。第１トランシーバ６０１は、第１プロセッサ６０４による制御でデータを送受信し、具体的に、アクセスネットワークから引き起こされるアクセスネットワークページングまたはコアネットワークから引き起こされるコアネットワークページングを含むページングタイプの特定が可能なページングメッセージを基地局から受信する。第１プロセッサ６０４は、第１メモリ６０５からプログラムを読み取ることによって、第１トランシーバ６０１で受信したページングメッセージに基づいて、前記ページングメッセージに対応するページングタイプを特定するプロセスと、前記ページングメッセージに対応するページングタイプがコアネットワークページングである場合、前記端末が、自端末の非アクセスＮＡＳ層と無線リソース制御ＲＲＣ層の状態をアイドル状態に更新して前記ページングメッセージに応答するプロセスとを実行することに用いられる。
【００６７】
図６において、バスアーキテクチャ（第１バス６００で示す）は、任意数の相互接続するバスとブリッジを含む。第１バス６００は、第１プロセッサ６０４をはじめとする１つ又は複数のプロセッサと第１メモリ６０５をはじめとするメモリの各種類の回路が接続したものである。第１バス６００は、周辺イクイップメント、レギュレーター、電力管理回路などの各種類のほかの回路を接続したものであってもよい。これらは、いずれも本分野の公知事項であり、本文においてさらなる記載をしない。第１バスインタフェース６０３により、第１バス６００と第１トランシーバ６０１との間でインタフェースが提供される。第１トランシーバ６０１は、１つの部品であってもよく、複数の受信機および送信機など、複数の部品であってもよく、伝送媒体でほかの各種類の装置と通信するユニットとして提供される。第１プロセッサ６０４によって処理されたデータは、第１トランシーバ６０１と第１アンテナ６０２を介して無線媒体で伝送される。さらに、第１アンテナ６０２は、データを受信し、データを第１トランシーバ６０１経由で第１プロセッサ６０４に伝送する。
【００６８】
第１プロセッサ６０４は、第１バス６００と通常の処理を管理し、さらに計時、周囲インタフェース、電圧調節、電源管理およびほかの制御機能など、様々な機能も提供する。第１メモリ６０５は、第１プロセッサ６０４による操作実行に用いられるデータを記憶ことに用いられる。具体的に、第１プロセッサ６０４は、ＣＰＵ、ＡＳＩＣ、ＦＰＧＡまたはＣＰＬＤである。
【００６９】
１つの実現方式として、第１プロセッサ６０４は、さらに、前記ページングメッセージに対応するページングタイプがコアネットワークページングであると判断された場合、前記端末のＲＲＣ層を制御し、ＲＲＣ層状態をアイドル状態に更新し、前記端末の接続を解除するようにＮＡＳ層に通知し、端末のＮＡＳ層において、ＮＡＳ層状態をアイドル状態に更新することと、前記端末のＲＲＣ層を制御し、前記ページングメッセージのページング内容をＮＡＳ層に渡し、前記ＮＡＳ層を制御し、前記ページング内容を受信して応答することに用いられる。
【００７０】
１つの実現方式として、第１プロセッサ６０４は、さらに、前記ページングメッセージに対応するページングタイプがコアネットワークページングであると判断された場合、前記端末のＲＲＣ層を制御し、前記ページングメッセージのページング内容をＮＡＳ層に渡し、ＲＲＣ層状態をアイドル状態に更新することと、前記端末のＮＡＳ層を制御し、前記ページング内容を受信してからＮＡＳ層状態をアイドル状態に更新し、前記ページング内容に応答することに用いられる。
【００７１】
第１プロセッサ６０４は、さらに、前記ページングメッセージに対応するページングタイプがアクセスネットワークページングである場合、前記端末が、直接前記ページングメッセージに応答し、接続の復帰、確立または再確立プロセスを引き起こすことに用いられる。具体的に、直接ＲＲＣ層において前記ページングメッセージに応答し、接続の復帰、確立または再確立プロセスを引き起こす。
【００７２】
１つの実現方式として、前記ページングメッセージに前記ページングタイプの指示情報が付帯され、第１プロセッサ６０４は、前記指示情報に基づいて、前記ページングメッセージに対応するページングタイプを特定する。もう１つの実現方式として、予め特定された表現方式で示される所定パラメータが前記ページングメッセージに付帯され、かつ前記所定パラメータの異なる表現方式は、異なるページングタイプに対応する。第１プロセッサ６０４は、前記ページングメッセージのうちの所定パラメータの表現方式に対応するページングタイプを特定して前記ページングメッセージのページングタイプを得る。もう１つの実現方式として、前記ページングメッセージに第１所定パラメータが付帯され、または、付帯されず、ここで、前記ページングメッセージに第１所定パラメータが付帯されるかは、前記ページングタイプによって特定される。第１プロセッサ６０４は、前記ページングメッセージに前記第１所定パラメータが付帯されるかに応じて、前記ページングメッセージのページングタイプを特定する。
【００７３】
図７を参照する。本開示の一部実施例における基地局は、端末に対しページングを引き起こす必要がある場合、アクセスネットワークから引き起こされるアクセスネットワークページングまたはコアネットワークから引き起こされるコアネットワークページングを含む当該ページングのページングタイプを特定することに用いられる特定ユニット７１と、ページングタイプの特定が可能なページングメッセージを前記端末に送信することに用いられる送信ユニット７２とを含む。
【００７４】
ここで、前記ページングメッセージに前記ページングタイプの指示情報が付帯される。または、予め特定された表現方式で示される所定パラメータが前記ページングメッセージに付帯され、かつ前記所定パラメータの異なる表現方式は、異なるページングタイプに対応する。または、前記ページングメッセージに第１所定パラメータが付帯され、または、付帯されず、ここで、前記ページングメッセージに第１所定パラメータが付帯されるかは、前記ページングタイプによって特定される。
【００７５】
図８を参照する。本開示の一部実施例における別構造の基地局は、第２トランシーバ８０１と、第２プロセッサ８０４を含む。第２トランシーバ８０１は、第２プロセッサ８０４による制御でデータを送受信し、具体的に、ページングタイプの特定が可能なページングメッセージを端末に送信する。第２プロセッサ８０４は、第２メモリ８０５からプログラムを読み取ることによって、端末に対しページングを引き起こす必要がある場合、アクセスネットワークから引き起こされるアクセスネットワークページングまたはコアネットワークから引き起こされるコアネットワークページングを含む当該ページングのページングタイプを特定するプロセスと、ページングタイプの特定が可能なページングメッセージを前記端末に送信するように前記第２トランシーバ８０１を制御するプロセスを実行することに用いられる。
【００７６】
図８において、バスアーキテクチャ（第２バス８００で示す）は、任意数の相互接続するバスとブリッジを含む。第２バス８００は、第２プロセッサ８０４をはじめとする１つ又は複数のプロセッサと第２メモリ８０５をはじめとするメモリの各種類の回路が接続したものである。第２バス８００は、周辺イクイップメント、レギュレーター、電力管理回路などの各種類のほかの回路を接続したものであってもよい。これらは、いずれも本分野の公知事項であり、本文においてさらなる記載をしない。第２バスインタフェース８０３により、第２バス８００と第２トランシーバ８０１との間でインタフェースが提供される。第２トランシーバ８０１は、１つの部品であってもよく、複数の受信機および送信機など、複数の部品であってもよく、伝送媒体でほかの各種類の装置と通信するユニットとして提供される。第２プロセッサ８０４によって処理されたデータは、第２トランシーバ８０１と第２アンテナ８０２を介して無線媒体で伝送される。さらに、第２アンテナ８０２は、データを受信し、データを第２トランシーバ８０１を介して第２プロセッサ８０４に伝送する。
【００７７】
第２プロセッサ８０４は、第２バス８００と通常の処理を管理し、さらに計時、周囲インタフェース、電圧調節、電源管理およびほかの制御機能など、様々な機能も提供する。第２メモリ８０５は、第２プロセッサ８０４による操作実行に用いられるデータを記憶ことに用いられる。具体的に、第２プロセッサ８０４は、ＣＰＵ、ＡＳＩＣ、ＦＰＧＡまたはＣＰＬＤである。
【００７８】
以上をまとめると、本開示の実施例におけるページング方法、基地局および端末は、インアクティブ状態の端末のページング中に、ネットワークと端末との間で端末の状態に対する認識が一致しない場合に端末のページングが失敗する問題を解決することができ、端末がページングを正しく受信することができ、ページング成功率が向上する。
【００７９】
本開示は、本開示の一部実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【００８０】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【００８１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【００８２】
以上の記載は、本開示の好適な実施形態である。なお、当業者にとって、本開示に記載した原理を逸脱することなくいくつかの改良や修飾を行うこともできる。これらの改良や修飾も、本開示の保護範囲として見なされるべきである。
【図１】
2019537357.tif 000003
【図２】
2019537357.tif 000004
【図３】
2019537357.tif 000005
【図４】
2019537357.tif 000006
【図５】
2019537357.tif 000007
【図６】
2019537357.tif 000008
【図７】
2019537357.tif 000009
【図８】
2019537357.tif 000010
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
インアクティブ状態の端末が、アクセスネットワークから引き起こされるアクセスネットワークページングまたはコアネットワークから引き起こされるコアネットワークページングを含むページングタイプの特定が可能なページングメッセージを基地局から受信するステップと、
前記端末が、前記ページングメッセージに対応するページングタイプを特定するステップと、
前記ページングメッセージに対応するページングタイプがコアネットワークページングである場合、前記端末が、自端末の非アクセスＮＡＳ層と無線リソース制御ＲＲＣ層の状態をアイドル状態に更新して前記ページングメッセージに応答するステップとを含むページング方法。
【請求項２】
前記端末が、自端末の非アクセスＮＡＳ層と無線リソース制御ＲＲＣ層の状態をアイドル状態に更新して前記ページングメッセージに応答するステップは、
前記端末のＲＲＣ層において、ＲＲＣ層状態をアイドル状態に更新し、前記端末の接続を解除するようにＮＡＳ層に通知し、端末のＮＡＳ層において、ＮＡＳ層状態をアイドル状態に更新することと、
前記端末のＲＲＣ層において、前記ページングメッセージのページング内容をＮＡＳ層に渡し、前記ＮＡＳ層において、前記ページング内容を受信して応答することとを含む請求項１に記載の方法。
【請求項３】
前記端末が、自端末の非アクセスＮＡＳ層と無線リソース制御ＲＲＣ層の状態をアイドル状態に更新して前記ページングメッセージに応答するステップは、
前記端末のＲＲＣ層において、前記ページングメッセージのページング内容をＮＡＳ層に渡し、ＲＲＣ層状態をアイドル状態に更新することと、
前記端末のＮＡＳ層において、前記ページング内容を受信してからＮＡＳ層状態をアイドル状態に更新し、前記ページング内容に応答することとを含む請求項１に記載の方法。
【請求項４】
前記ページングメッセージに対応するページングタイプがアクセスネットワークページングである場合、前記端末が、直接前記ページングメッセージに応答し、接続の復帰、確立または再確立プロセスを引き起こすステップをさらに含む請求項１に記載の方法。
【請求項５】
前記ページングメッセージに前記ページングタイプの指示情報が付帯され、
前記端末が、前記ページングメッセージに対応するページングタイプを特定するステップは、
前記端末が、前記指示情報に基づいて、前記ページングメッセージに対応するページングタイプを特定することを含む請求項１に記載の方法。
【請求項６】
予め特定された表現方式で示される所定パラメータが前記ページングメッセージに付帯され、かつ前記所定パラメータの異なる表現方式は、異なるページングタイプに対応し、
前記端末が、前記ページングメッセージに対応するページングタイプを特定するステップは、
前記端末が、前記ページングメッセージのうちの所定パラメータの表現方式に対応するページングタイプを特定して前記ページングメッセージのページングタイプを得ることを含み、あるいは、
前記ページングメッセージに第１所定パラメータが付帯され、または、付帯されず、ここで、前記ページングメッセージに第１所定パラメータが付帯されるかは、前記ページングタイプによって特定され、
前記端末が、前記ページングメッセージに対応するページングタイプを特定するステップは、
前記端末が、前記ページングメッセージに前記第１所定パラメータが付帯されるかに応じて、前記ページングメッセージのページングタイプを特定することを含む請求項１に記載の方法。
【請求項７】
基地局が、端末に対しページングを引き起こす必要がある場合、アクセスネットワークから引き起こされるアクセスネットワークページングまたはコアネットワークから引き起こされるコアネットワークページングを含む当該ページングのページングタイプを特定するステップと、
基地局が、ページングタイプの特定が可能なページングメッセージを前記端末に送信するステップとを含むページング方法。
【請求項８】
前記ページングメッセージに前記ページングタイプの指示情報が付帯され、
または、予め特定された表現方式で示される所定パラメータが前記ページングメッセージに付帯され、かつ前記所定パラメータの異なる表現方式は、異なるページングタイプに対応し、
または、前記ページングメッセージに第１所定パラメータが付帯され、または、付帯されず、ここで、前記ページングメッセージに第１所定パラメータが付帯されるかは、前記ページングタイプによって特定される請求項７に記載の方法。
【請求項９】
端末であって、
自端末がインアクティブ状態である場合、アクセスネットワークから引き起こされるアクセスネットワークページングまたはコアネットワークから引き起こされるコアネットワークページングを含むページングタイプの特定が可能なページングメッセージを基地局から受信することに用いられる受信ユニットと、
前記ページングメッセージに対応するページングタイプを特定することに用いられる特定ユニットと、
前記ページングタイプがコアネットワークページングである場合、自端末の非アクセスＮＡＳ層と無線リソース制御ＲＲＣ層の状態をアイドル状態に更新して前記ページングメッセージに応答することに用いられる第１応答ユニットとを含む端末。
【請求項１０】
前記第１応答ユニットは、
前記端末のＲＲＣ層状態をアイドル状態に更新し、前記端末の接続を解除するように前記端末のＮＡＳ層に通知し、前記ページングメッセージのページング内容をＮＡＳ層に渡すことに用いられるＲＲＣ層の第１処理ユニットと、
前記第１応答ユニットの通知に基づいてＮＡＳ層状態をアイドル状態に更新し、第１処理ユニットから渡されるページング内容を受信して応答することに用いられるＮＡＳ層の第２処理ユニットとを含む請求項９に記載の端末。
【請求項１１】
前記第１応答ユニットは、
前記ページングメッセージのページング内容をＮＡＳ層に渡し、ＲＲＣ層状態をアイドル状態に更新することに用いられるＲＲＣ層の第３処理ユニットと、
前記第３処理ユニットから渡される前記ページング内容を受信してからＮＡＳ層状態をアイドル状態に更新し、前記ページング内容に応答することに用いられるＮＡＳ層の第４処理ユニットとを含む請求項９に記載の端末。
【請求項１２】
前記ページングタイプがアクセスネットワークページングである場合、直接前記ページングメッセージに応答し、接続の復帰、確立または再確立プロセスを引き起こすことに用いられる第２応答ユニットをさらに含む請求項９に記載の端末。
【請求項１３】
前記ページングメッセージに前記ページングタイプの指示情報が付帯され、
前記特定ユニットは、具体的に、
前記指示情報に基づいて、前記ページングメッセージに対応するページングタイプを特定することに用いられる請求項９に記載の端末。
【請求項１４】
予め特定された表現方式で示される所定パラメータが前記ページングメッセージに付帯され、かつ前記所定パラメータの異なる表現方式は、異なるページングタイプに対応し、
前記特定ユニットは、具体的に、
前記ページングメッセージのうちの所定パラメータの表現方式に対応するページングタイプを特定して前記ページングメッセージのページングタイプを得ることに用いられ、あるいは、
前記ページングメッセージに第１所定パラメータが付帯され、または、付帯されず、ここで、前記ページングメッセージに第１所定パラメータが付帯されるかは、前記ページングタイプによって特定され、
前記特定ユニットは、具体的に、
前記ページングメッセージに前記第１所定パラメータが付帯されるかに応じて、前記ページングメッセージのページングタイプを特定することに用いられる請求項９に記載の端末。
【請求項１５】
端末に対しページングを引き起こす必要がある場合、アクセスネットワークから引き起こされるアクセスネットワークページングまたはコアネットワークから引き起こされるコアネットワークページングを含む当該ページングのページングタイプを特定することに用いられる特定ユニットと、
ページングタイプの特定が可能なページングメッセージを前記端末に送信することに用いられる送信ユニットとを含む基地局。
【国際調査報告】
2019537357.tif 000011
2019537357.tif 000012
2019537357.tif 000013
2019537357.tif 000014